(57)【要約】【課題】  入浴の安全を図り、リフト浴槽を小型化する重錘付リフト浴槽を提供すること。【構成】入浴介助用のリフト装置（４）と浴槽（３）とを基台（５）に設け、該浴槽（３）側に重錘（２４）を配置し、前記重錘（２４）は、浴槽（３）に取着され、配置換えが可能であり、又、基台（５）に取り付けられた入浴介助用のリフト装置（４）を、１８０度回して再取着でき、リフト装置（４）は、リフト部（６）に椅子部（２）を取り付けてなり、重錘（２４）は、浴槽（３）の外に移動させた椅子部（２）とは、リフト部（６）の支柱（１２）を挟んで反対側に配置される重錘付リフト浴槽である。【選択図】      図１
2005237578.tif 000002
【特許請求の範囲】
【請求項１】
入浴介助用のリフト装置（４）と浴槽（３）とを基台（５）に設け、浴槽（３）側に重錘（２４）を配置した重錘付リフト浴槽。
【請求項２】
重錘（２４）は、基台（５）又は浴槽（３）に取着され、配置換えが可能である請求項１記載の重錘付リフト浴槽。
【請求項３】
基台（５）に取り付けられた入浴介助用のリフト装置（４）を、１８０度回して再取着できる重錘付リフト浴槽。
【請求項４】
リフト装置（４）は、リフト部（６）に椅子部（２）を取り付けてなり、重錘（２４）は、浴槽（３）の外の乗降位置に移動させた椅子部（２）とは、リフト部（６）の支柱（１２）を挟んで反対側に配置される請求項１記載の重錘付リフト浴槽。
【発明の詳細な説明】
【技術分野】
【０００１】
本発明は、身体障害者や養護老人等（以下入浴者という）を入浴用のリフト装置を用いて入浴を介助する重錘付リフト浴槽に関するものである。
【背景技術】
【０００２】
従来の技術の特開平１０−２３０００６号公報に開示されたものは、入浴装置本体の内部に錘が設けられる。入浴用の椅子に、入浴者を乗せ、アームを回動させ、前記椅子を回動させて浴槽の側壁上縁を越える。この入浴装置は、既存の浴槽の周囲に極めて容易に設置することができる。
【特許文献１】特開平１０−２３０００６号公報
【発明の開示】
【発明が解決しようとする課題】
【０００３】
従来装置によれば、浴槽の横に、錘を設けた入浴装置を置き、この入浴装置に錘を設けるものであるから、錘が入浴装置の容積を多く占有してしまい、又、錘の形状や重量に制限があり、設計上の自由度が低かった。
【課題を解決するための手段】
【０００４】
本発明は、入浴介助用のリフト装置４と浴槽３とを基台５に設け、浴槽３側に重錘２４を配置した重錘付リフト浴槽である。
又、重錘２４は、基台５又は浴槽３に取着され、配置換えが可能である。
更に、基台５に取り付けられた入浴介助用のリフト装置４を、１８０度回して再取着できる。
更に又、リフト装置４は、リフト部６に椅子部２を取り付けてなり、重錘２４は、浴槽３の外の乗降位置に移動させた椅子部２とは、リフト部６の支柱１２を挟んで反対側に配置される。
【発明の効果】
【０００５】
本発明は、入浴介助用のリフト装置４と浴槽３とを基台５に設け、浴槽３側に重錘２４を配置したものである。この構成により、入浴者の座部２０への移乗時にリフト部６が転倒するといった不都合な事態を防止できる。又、浴槽３の縁の下のデッドスペースに、重錘２４を配置するので、省スペース化が図れ好都合である。更に、浴槽３側に重錘２４を配置するので、重錘２４の形状や重量に自由度があり、設計上好都合である。
【０００６】
本発明に係る重錘２４は、着脱容易に基台５又は浴槽３に取着され、配置換えが可能であるから、リフト装置４を逆向きに変更する時に便利であり、好都合である。又、重錘付リフト浴槽１の移送時には、重錘２４を適宜外せば移送に係る労力を軽減でき、好都合である。
【０００７】
本発明は、基台５に取り付けられたリフト装置４を１８０度回して再取着できるから、リフト装置４による入浴介助を行なう位置を、現場設置状況に合わせ、１８０度逆にすることができ、生産上、設置上、好都合である。
【０００８】
本発明に係るリフト装置４は椅子部２を有しており、重錘２４は、浴槽３の外の乗降位置に移動させた椅子部２とは支柱１２を挟んで反対側に配置されるものであるから、梃子の原理により、支柱１２からの距離を適宜な長さになすことによって重錘２４を小型化、軽量化でき、好都合である。
【発明を実施するための最良の形態】
【０００９】
重錘付リフト浴槽１を用いて、入浴の安全を図り、重錘付リフト浴槽１を小型化するという目的を、重錘２４を浴槽３側に取着し、又、リフト装置４を浴槽３の短側壁１０に対して１８０度回して取着することができるものとして、実現した。
【実施例１】
【００１０】
図１及び図２に示す重錘付リフト浴槽１は、椅子部２に入浴者を乗せ、該椅子部２を、回動させて浴槽３上方に移送し、続いて椅子部２を下降させ、入浴者を浴槽３内の湯に浸け、入浴させるものである。
重錘付リフト浴槽１は、浴槽３と、浴槽３の一方の短手側壁１０（＝左短手側壁１０ａ）側に載置されるリフト装置４と、基台５とからなる。
【００１１】
リフト装置４は、リフト部６と、油圧機構部７と、リフト部６を立設支持すると共に前記油圧機構部７が設置されるベース板８と、上板９とからなる。
【００１２】
ベース板８は、浴槽３の短手側壁１０に接近する位置にあって、基台５に載置される。ベース板８の前端部にリフト部６が立設される。
ベース板８は、リフト部６と共に基台５に四個のリフトネジ１１で着脱可能に螺着される。即ち、ベース板８は、四個のリフトネジ１１を外せば、基台５から離脱することができ、該ベース板８に載設される油圧機構部７、リフト部６、椅子部２、上板９等と共にベース板８を、浴槽３の短手側壁１０に対して１８０度回転させ、再度基台５へ取り付けることができる。
尚、リフト部６とベース板８は二個の接続ネジ３０で接続されている為、リフトネジ１１を外してもリフト部６とベース板８は分離しない。
【００１３】
リフト部６は、支柱１２と、支柱１２の上部に回動可能に取着されるアーム１３とからなる。アーム１３の先部には、浴槽３外方から浴槽３内方へ適宜往復移動できる椅子部２がアーム１３に回動可能に取着される。
【００１４】
支柱１２は、内側にあって昇降する移動柱１４と、該移動柱１４の外側にあって移動柱１４を収容する固定柱１５とから構成される。固定柱１５の内側壁には、移動柱１４の外側壁と摺動しつつ液密を図る図示しないシールが設けられる。
【００１５】
移動柱１４の頂部に該移動柱１４に対して回動自在に上筒部１６が取着され、該上筒部１６にアーム１３の基端が取着され、アーム１３の先端には該アーム１３に対して回動可能に下筒部１７が取着される。
【００１６】
上筒部１６と移動柱１４の間には、移動柱１４に対するアーム１３の回動を止める図示しないストッパー機構が設けられ、アーム１３と下筒部１７の間には、アーム１３に対する下筒部１７の回動を止める図示しない椅子ストッパー機構が設けられる。
【００１７】
前記ストッパー機構は、移動柱１４に対するアーム１３の回動を止めるストッパー作用を有すると共に、このストッパー作用を解除するストッパーハンドル３５を有する。
【００１８】
前記椅子ストッパー機構は、アーム１３に対する下筒部１７の回動を止めるストッパー作用を有すると共に、このストッパー作用を解除する椅子ストッパーハンドル３６を有する。
【００１９】
前記下筒部１７に椅子部２が取り付けられる。前記椅子部２は、下筒部１７に取着される背凭れ１８と、背凭れ１８の下端に垂直方向に回動可能に軸１９で軸支され折り畳み可能な座部２０とからなる。背凭れ１８には、入浴者を該背凭れ１８に括るベルト３３が設けられる。
【００２０】
浴槽３の右短手側壁１０ｂの上部には、ミキシングバルブ２１と、給湯口２２が設けられる。浴槽３の奥壁２３（＝背面壁）に添う位置に、重錘２４が基台５に重錘ネジ２５で螺着される。重錘２４は重錘ネジ２５を緩めれば基台５から離脱できる。離脱した重錘２４の取着位置を、浴槽３の前壁２６に添う位置に変更し、基台５に載置し重錘ネジ２５で螺着する。
【００２１】
尚、図１中、２７は図示しない上昇スイッチ及び下降スイッチが配設された操作部、２８は椅子部２を移動させる時等に握る握り手、３１は固定脚、３２はハンドシャワー、図２中、２９は入浴者が掴む取っ手、３４は洗い場である。
【００２２】
実施例１の重錘付リフト浴槽１を使用する際は、先ず、椅子部２を洗い場３４側へセットする。背凭れ１８に対して略水平状に位置する座部２０に入浴者を座らせる。入浴者の上体にベルト３３を掛け背凭れ１８に固定する。
【００２３】
操作部２７の上昇スイッチを押し、支柱１２を伸長させる。即ち、前記上昇スイッチを押すと油圧機構部７が駆動し、圧油が、固定柱１５と移動柱１４の間に入り、移動柱１４を上昇させる。
【００２４】
上昇中、支柱１２内に設けられた図示しない回動阻止機構の作用により移動柱１４の回動が規制され、移動柱１４は平行移動状に上昇する。移動柱１４の上昇と共に、アーム１３と椅子部２が上昇する。移動柱１４を上限まで上昇させる。
【００２５】
次に、介助者は、ストッパーハンドル３５を引き、移動柱１４とアーム１３の間のストッパー機能を解除して、アーム１３を回動させ、椅子部２を、洗い場３４側から浴槽３側へ移動させ、浴槽３の前壁２６を越え、浴槽３の上方へ位置させる。
操作部２７の下降スイッチを押し、移動柱１４を下限位置まで下降させ、入浴者を浴槽３内の湯に浸け入浴を行なう。
【００２６】
退浴時には、介助者は、前記上昇スイッチを押し、椅子部２を上限まで上昇させる。
【００２７】
介助者は、ストッパーハンドル３５を引き、アーム１３を回動させ、入浴者を洗い場３４側へ引き寄せる。この時アーム１３が所定位置に来ると、ストッパー機構が自動的に作用し、アーム１３は移動柱１４に対して回動不自在となる。下降スイッチを押し、入浴者を下降させる。ベルト３３を外し、入浴者を座部２０から降ろし、入浴を終える。
【００２８】
図１及び図２に示すリフト装置４の配置は、浴槽３の前壁２６側にて入浴者を移乗させる配置である。これを、図３及び図４に示すように浴槽３の奥壁２３側で移乗させるように変更するには、先ず、重錘ネジ２５を外し、重錘２４を奥壁２３側から前壁２６側へ付け替える。
【００２９】
次に、リフトネジ１１を外し、リフト装置４を基台５から一旦離脱し、リフト装置４を浴槽３の左短手側壁１０ａに対して１８０度回転させ再度基台５に取り付ける。これらの作業により、リフト装置４は当初の取り付け位置とは１８０回転した配置となり、入浴者は浴槽３の奥壁２３側での移乗が可能となる。
【００３０】
前述の通り重錘２４は、重錘ネジ２５を外せば基台５から外せるので、リフト装置４を付け替える時のほかに、重錘付リフト浴槽１の浴室への搬入時や移転時等には、重錘２４を外し、重錘付リフト浴槽１の重量を軽減して移動することができ、便利である。
【産業上の利用可能性】
【００３１】
簡素な構成のリフト装置と小型の浴槽とを一体化したリフト浴槽に適用できる。
【図面の簡単な説明】
【００３２】
【図１】実施例１に係る重錘付リフト浴槽を背面側から見た斜視図である。
【図２】実施例１に係る重錘付リフト浴槽を正面側から見た斜視図である。
【図３】実施例１のリフト装置を浴槽の短手側壁に対して１８０度回転して再取着した重錘付リフト浴槽を背面側から見た斜視図である。
【図４】実施例１のリフト装置を浴槽の短手側壁に対して１８０度回転して再取着した重錘付リフト浴槽を正面側から見た斜視図である。
【符号の説明】
【００３３】
１  重錘付リフト浴槽
２  椅子部
３  浴槽
４  リフト装置
５  基台
６  リフト部
１２  支柱
２４  重錘
【図１】
2005237578.tif 000003
【図２】
2005237578.tif 000004
【図３】
2005237578.tif 000005
【図４】
2005237578.tif 000006